(57)【要約】【課題】色材によって表現可能な色域が小さくなることを抑制しつつ、色材の使用量を抑制する。【解決手段】第１色空間で表される複数の色値に対応付けられる複数の目標測色値の一部を修正する。そして、修正された目標測色値を用いて、第１色空間で表される色値と、印刷に使用される色材の使用量を表す第２色空間で表される色値との対応関係を表す色変換情報を生成する。目標測色値を表す特定色空間内の少なくとも一部の色相範囲を含む注目色範囲内において、（Ａ）注目色範囲内での最高彩度の目標測色値よりも暗い色範囲である暗色範囲のうち、複数の目標測色値の分布領域の外殻を含む色範囲である第１色範囲内では、目標測色値の明度を増加させずに、（Ｂ）暗色範囲のうち、第１色範囲よりも内側の部分のうちの少なくとも一部の第２色範囲では、目標測色値の明度を増加させる。【選択図】  図５
2015162714.tif 000002
【特許請求の範囲】
【請求項１】
データ処理装置であって、
第１色空間で表される複数の色値に対応付けられる複数の目標測色値の一部を修正する修正部と、
前記修正された目標測色値を用いて、前記第１色空間で表される色値と、印刷に使用される色材の使用量を表す第２色空間で表される色値との対応関係を表す色変換情報を生成する生成部と、
を備え、
前記修正部は、前記目標測色値を表す特定色空間内の少なくとも一部の色相範囲を含む注目色範囲内において、
（Ａ）前記注目色範囲内での最高彩度の目標測色値よりも暗い色範囲である暗色範囲のうち、前記複数の目標測色値の分布領域の外殻を含む色範囲である第１色範囲内では、前記目標測色値の明度を増加させずに、
（Ｂ）前記暗色範囲のうち、前記第１色範囲よりも内側の部分のうちの少なくとも一部の第２色範囲では、前記目標測色値の明度を増加させる、
データ処理装置。
【請求項２】
請求項１に記載のデータ処理装置であって、
前記修正部は、前記色材の使用量を抑制すべき場合に、前記複数の目標測色値の一部を修正する、データ処理装置。
【請求項３】
請求項１または２に記載のデータ処理装置であって、
前記第１色空間内での明度の変化に対する前記特定色空間内での明度の変化の割合を明度変化割合と呼ぶときに、
前記第２色範囲のうちの前記第１色範囲と接する部分である第１部分での前記明度変化割合は、前記第２色範囲のうちの前記第１色範囲から離れた部分である第２部分での前記明度変化割合よりも、大きい、
データ処理装置。
【請求項４】
請求項１から３のいずれか１項に記載のデータ処理装置であって、
前記修正部は、前記第２色範囲内において、第１目標測色値の明度の増加量である第１増加量として、前記第１目標測色値よりも暗い第２目標測色値の明度の増加量である第２増加量よりも小さい値を用いる、
データ処理装置。
【請求項５】
請求項１から４のいずれか１項に記載のデータ処理装置であって、
前記修正部は、所定の画像データの色空間変換を未修正の目標測色値に基づいて決定される色変換情報を用いて行うことによって前記所定の画像データによって表される画像を印刷する場合の色材の使用量を対象使用量と呼ぶ場合に、
前記対象使用量が基準量よりも多い第１使用量である場合と比べて、前記対象使用量が前記第１使用量よりも多い第２使用量である場合に、前記目標測色値の明度を大きく増加させる、
データ処理装置。
【請求項６】
請求項１から５のいずれか１項に記載のデータ処理装置であって、
前記修正部は、特定色範囲内の目標測色値を修正せずに、前記注目色範囲のうち前記特定色範囲に含まれる部分を除いた残りの部分に含まれる色範囲を前記第２色範囲として用いる、
データ処理装置。
【請求項７】
請求項１から６のいずれか１項に記載のデータ処理装置であって、
前記修正部は、
前記注目色範囲のうちの彩度が彩度閾値を超える色範囲においては、第１明度以下の明度範囲内の目標測色値の明度を増加させ、
前記注目色範囲のうちの彩度が彩度閾値以下である色範囲においては、第１明度よりも明るい第２明度以下の明度範囲内の目標測色値の明度を増加させる、
データ処理装置。
【請求項８】
コンピュータプログラムであって、
第１色空間で表される複数の色値に対応付けられる複数の目標測色値の一部を修正する修正機能と、
前記修正された目標測色値を用いて、前記第１色空間で表される色値と、印刷に使用される色材の使用量を表す第２色空間で表される色値との対応関係を表す色変換情報を生成する生成機能と、
をコンピュータに実現させ、
前記修正機能は、前記目標測色値を表す特定色空間内の少なくとも一部の色相範囲を含む注目色範囲内において、
（Ａ）前記注目色範囲内での最高彩度の目標測色値よりも暗い色範囲である暗色範囲のうち、前記複数の目標測色値の分布領域の外殻を含む色範囲である第１色範囲内では、前記目標測色値の明度を増加させずに、
（Ｂ）前記暗色範囲のうち、前記第１色範囲よりも内側の部分のうちの少なくとも一部の第２色範囲では、前記目標測色値の明度を増加させる、
コンピュータプログラム。
【発明の詳細な説明】
【技術分野】
【０００１】
本発明は、２つの色空間の間の対応関係を表す色変換情報を生成する技術に関するものである。
【背景技術】
【０００２】
従来から、インクやトナー等の色材を用いた印刷が行われている。印刷を行うために、画像データを表す色空間を元の色空間（例えば、ＲＧＢ色空間）から色材の色空間（例えば、ＣＭＹＫ色空間）へ変換する色変換が行われる場合がある。ここで、色材に対応する色信号の総量制限（すなわち、色材の使用量を減らすために、色信号の値を減少させること）を行う場合に、ＣＭＹの色信号に加えてＫの色信号にも調整を行うことによって、総量制限を満たしつつ、低明度領域の色域の縮小を抑制する技術が提案されている。
【先行技術文献】
【特許文献】
【０００３】
【特許文献１】特開２００９−１２４２３３号公報
【特許文献２】特開２０１３−２２３０５３号公報
【発明の概要】
【発明が解決しようとする課題】
【０００４】
ところが、従来は、色材の使用量が抑制される場合には特に低明度領域の色域が縮小するので、低明度領域の色を適切に表すことができない場合があった。
【０００５】
本発明の主な利点は、色材によって表現可能な色域が小さくなることを抑制しつつ、色材の使用量を抑制することである。
【課題を解決するための手段】
【０００６】
本発明は、上述の課題の少なくとも一部を解決するためになされたものであり、以下の適用例として実現することが可能である。
【０００７】
［適用例１］
データ処理装置であって、
第１色空間で表される複数の色値に対応付けられる複数の目標測色値の一部を修正する修正部と、
前記修正された目標測色値を用いて、前記第１色空間で表される色値と、印刷に使用される色材の使用量を表す第２色空間で表される色値との対応関係を表す色変換情報を生成する生成部と、
を備え、
前記修正部は、前記目標測色値を表す特定色空間内の少なくとも一部の色相範囲を含む注目色範囲内において、
（Ａ）前記注目色範囲内での最高彩度の目標測色値よりも暗い色範囲である暗色範囲のうち、前記複数の目標測色値の分布領域の外殻を含む色範囲である第１色範囲内では、前記目標測色値の明度を増加させずに、
（Ｂ）前記暗色範囲のうち、前記第１色範囲よりも内側の部分のうちの少なくとも一部の第２色範囲では、前記目標測色値の明度を増加させる、
データ処理装置。
【０００８】
この構成によれば、暗色範囲のうち、複数の目標測色値の分布領域の外殻を含む第１色範囲内では、目標測色値の明度が増加されずに、第１色範囲よりも内側の第２色範囲では、目標測色値の明度が増加されるので、色材によって表現可能な色域が小さくなることを抑制しつつ、色材の使用量を抑制できる。
【０００９】
なお、本発明は、種々の形態で実現することが可能であり、例えば、データ処理方法およびデータ処理装置、それらの方法または装置の機能を実現するためのコンピュータプログラム、そのコンピュータプログラムを記録した記録媒体（例えば、一時的ではない記録媒体）、等の形態で実現することができる。
【図面の簡単な説明】
【００１０】
【図１】本発明の一実施例としての複合機を示す説明図である。
【図２】色変換情報の生成処理のフローチャートである。
【図３】カラーパッチＣＰのＲＧＢの色値を示す概略図である。
【図４】図２のステップＳ１９０で実行される目標測色値の修正処理のフローチャートである。
【図５】Ｌ＊ａ＊ｂ＊色空間における１つの等色相面の例を示す概略図である。
【図６】修正前の明度Ｌ＊と修正後の明度Ｌ＊との対応関係を示すグラフである。
【図７】Ｌ＊ａ＊ｂ＊色空間における１つの等色相面の別の例を示す概略図である。
【図８】Ｌ＊ａ＊ｂ＊色空間における１つの等色相面の別の例を示す概略図である。
【図９】色変換情報１３８に従って印刷される色の概略図である。
【図１０】出力色値の上限値の更新による色域の変化を示す概略図である。
【図１１】明度Ｌ＊を修正する場合の明度Ｌ＊の増加量の別の実施例を示すグラフである。
【図１２】第２色範囲の変形例を示す概略図である。
【発明を実施するための形態】
【００１１】
Ａ．第１実施例：
図１は、本発明の一実施例としての複合機を示す説明図である。この複合機１０００は、データを処理するデータ処理装置１００と、データ処理装置１００に接続されたプリンタ３００と、データ処理装置１００に接続された測色器４００と、を有している。
【００１２】
データ処理装置１００は、プロセッサ１１０と、揮発性記憶装置１２０と、不揮発性記憶装置１３０と、表示部１４０と、操作部１５０と、を有している。
【００１３】
プロセッサ１１０は、データ処理を行う装置であり、例えば、いわゆるＣＰＵである。揮発性記憶装置１２０は、例えば、いわゆるＤＲＡＭであり、不揮発性記憶装置１３０は、例えば、いわゆるフラッシュメモリである。不揮発性記憶装置１３０は、プログラム１３２と、パッチデータ１３４と、基準測色値情報１３５ａと、目標測色値情報１３５ｂと、修正済目標測色値情報１３６と、基準色変換情報１３７と、色変換情報１３８と、基準画像データ１３９と、を格納している。
【００１４】
プロセッサ１１０は、プログラム１３２を実行することによって、種々の機能を実現する。本実施例では、プロセッサ１１０は、修正部２１０と、生成部２２０と、測色制御部２７０と、印刷制御部２８０と、のそれぞれの処理部の機能を実現する。各処理部の詳細については、後述する。また、プロセッサ１１０は、プログラム（例えば、プログラム１３２）の実行に利用される種々の中間データを、記憶装置（例えば、揮発性記憶装置１２０、または、不揮発性記憶装置１３０）に、一時的に格納する。なお、不揮発性記憶装置１３０に格納されている他の情報については、後述する。
【００１５】
表示部１４０は、画像を表示する装置であり、例えば、液晶ディスプレイである。操作部１５０は、ユーザによる操作を受け入れる装置であり、例えば、表示部１４０上に重ねて配置されたタッチパネルである。ユーザは、操作部１５０を操作することによって、色変換情報を生成する処理の開始指示等の種々の指示を入力可能である。
【００１６】
プリンタ３００は、印刷媒体（例えば、紙）上に画像を印刷する装置であり、印刷機構３２０を有している。印刷機構３２０は、本実施例では、シアンＣとマゼンタＭとイエロＹとブラックＫのそれぞれのインクを用いるインクジェット式の印刷機構である。ただし、印刷機構３２０としては、他の方式の印刷機構（例えば、レーザ式プリンタ）を採用可能である。
【００１７】
測色器４００は、色を測定して測色値を表す測色データを出力する装置であり、センサ４２０を有している。センサ４２０は、本実施例では、いわゆる分光測色を行うセンサである。ただし、センサ４２０としては、他の測色方式のセンサ（例えば、刺激値直読式のセンサ）を採用可能である。
【００１８】
図２は、色変換情報の生成処理のフローチャートである。本実施例の生成処理では、プリンタ３００（図１）によって印刷されたカラーパッチＣＰの測色結果に応じて、印刷に使用される色材の使用量を表す色値（例えば、ＣＭＹＫの色値）と、測色値を表す色空間で表された色値（例えば、Ｌ＊ａ＊ｂ＊の色値）と、の対応関係が決定され、そして、決定された対応関係に従って、色変換情報が生成される。色変換情報は、印刷に使用される画像データの色値（例えば、赤Ｒ、緑Ｇ、青Ｂの色値）と、印刷に使用される色材の使用量を表す色値（例えば、ＣＭＹＫの色値）と、の間の対応関係を表す情報である。色変換情報としては、例えば、いわゆるルックアップテーブルが採用される。以下、印刷に使用される画像データの色値を「入力色値」とも呼び、入力色値を表す色空間を「第１色空間」とも呼ぶ（本実施例では、ＲＧＢ色空間）。また、色材の使用量を表す色値を「出力色値」とも呼び、出力色値を表す色空間を「第２色空間」とも呼ぶ（本実施例では、ＣＭＹＫ色空間）。
【００１９】
色変換情報の生成処理は、例えば、ユーザがデータ処理装置１００に対して生成処理の開始を指示した場合に、データ処理装置１００のプロセッサ１１０によって開始される。本実施例では、ユーザは、操作部１５０を操作することによって、生成処理の開始指示を入力可能である。
【００２０】
最初のステップＳ１００では、生成部２２０は、出力色値の上限値を決定する。出力色値の上限値は、過剰な量の色材が印刷に使用されることを抑制するために設定される。出力色値の上限値としては、例えば、第２色空間の複数の色成分のそれぞれの上限値が決定される（例えば、ＣとＭとＹとＫのそれぞれの上限値）。また、混色の色成分の上限値が決定されてもよい（例えば、Ｃ＋Ｍ＋Ｙの上限値）。生成部２２０は、生成処理の開始後に初めてステップＳ１００を実行する場合には、各色成分（混色を含む）の上限値として、各色成分毎に予め決定された値を、採用する。後述するように、生成処理で生成された色変換情報に従って印刷を行う場合の色材の使用量が基準量未満である場合には、生成部２２０は、２回目以降のステップＳ１００で、上限値をより大きな値に更新する。
【００２１】
次のステップＳ１１０では、生成部２２０は、基準となる色変換情報である基準色変換情報１３７を生成する。生成部２２０は、出力色値が上限値を超えないように、基準色変換情報１３７を生成し、生成した基準色変換情報１３７を記憶装置（例えば、不揮発性記憶装置１３０）に格納する。生成部２２０は、生成処理の開始後に初めてステップＳ１１０を実行する場合には、所定の色変換情報を基準色変換情報１３７として採用する。所定の色変換情報としては、例えば、第１色空間内の色値の変化に対して、印刷された色（すなわち、測色値）がおおよそリニアに変化するように構成された色変換情報を、採用可能である。ただし、他の特性を示す色変換情報を採用してもよい。
【００２２】
２回目以降のステップＳ１００で上限値がより大きな値に更新された場合には、生成部２２０は、続くステップＳ１１０で、更新された上限値に合わせて出力色値の分布範囲が広くなるように、基準色変換情報１３７を更新する。例えば、生成部２２０は、Ｃ成分の上限値がより大きな値に変更された場合には、出力色値のＣ成分の値をより大きな値に変更することによって、基準色変換情報１３７を更新する。
【００２３】
次のステップＳ１２０では、印刷制御部２８０（図１）は、パッチデータ１３４を用いて印刷データを生成し、生成した印刷データをプリンタ３００に送信する。プリンタ３００の印刷機構３２０は、受信した印刷データに従って、互いに色が異なるＮ個（Ｎは２以上の整数）のカラーパッチＣＰ（図１）を印刷する。
【００２４】
パッチデータ１３４は、第１色空間で表された画像データであり、Ｎ個のカラーパッチＣＰを表している。パッチデータ１３４は、例えば、Ｎ個のカラーパッチＣＰを表すＲＧＢビットマップデータである。各画素の色は、赤Ｒ、緑Ｇ、青Ｂの各色成分によって、表されている。各色成分は、例えば、２５６階調（０〜２５５）で表されている。Ｎ個のカラーパッチＣＰのそれぞれの色を表すＲＧＢのそれぞれの階調値は、所定の複数の階調値から選択される。本実施例では、ＲＧＢのそれぞれの階調値は、階調値の全範囲を８等分して得られる９個の階調値（０、３２、６４、９６、１２８、１６０、１９２、２２４、２５５）から、選択される。本実施例では、ＲＧＢのそれぞれの９個の階調値の全ての組合せが、カラーパッチＣＰとして用いられるので、カラーパッチＣＰの総数Ｎは、７２９（＝９＊９＊９）個である。
【００２５】
図３は、カラーパッチＣＰのＲＧＢの色値を示す概略図である。図中には、ＲＧＢの３つの階調値で表される色立体ＣＣが示されている。ＲＧＢ色空間で表された色は、この色立体ＣＣ内の点（色点とも呼ぶ）で表される。図中では、色立体ＣＣの８つの頂点のそれぞれに、色を示す符号（具体的には、黒頂点Ｖｋ、赤頂点Ｖｒ、緑頂点Ｖｇ、青頂点Ｖｂ、シアン頂点Ｖｃ、マゼンタ頂点Ｖｍ、イエロ頂点Ｖｙ、白頂点Ｖｗ）が付されている。図中の軸ＧＸは、黒頂点Ｖｋと白頂点Ｖｗとを結ぶ直線であり、無彩色を表している（以下、「無彩色軸ＧＸ」とも呼ぶ）。図中の黒丸で示された色点ＣＰｐは、図２のステップＳ１２０で印刷されるカラーパッチＣＰの色点を示している。図中では、Ｎ個のカラーパッチＣＰに対応するＮ個の色点のうちの一部の色点ＣＰｐだけが示されている。図示を省略するが、Ｎ個の色点は、色立体ＣＣの８つの頂点を含み、さらに、色立体ＣＣの全体に亘っておおよそ均等に分布するグリッドを形成している。
【００２６】
なお、色立体ＣＣ内において、無彩色軸ＧＸを含む平面のうち、無彩色軸ＧＸから見て一方向側の部分は、色相がおおよそ同じ色を表している。例えば、図３中のハッチングで示された平面は、無彩色軸ＧＸとイエロ頂点Ｖｙとを含む平面のうち、無彩色軸ＧＸから見てイエロ頂点Ｖｙ側の部分である。この平面は、色相がイエロ頂点Ｖｙの色相と同じ黄色である色を表している。以下、このように色相が同じ色を表す面を、等色相面と呼ぶ。無彩色軸ＧＸから見た等色相面の拡がる方向、すなわち、無彩色軸ＧＸを中心とする角度は、色相の指標として採用可能である。また、図中の距離Ｌｒｇｂは、色点Ｃｐｘと黒頂点Ｖｋとの間の無彩色軸ＧＸと平行な方向の距離を示している。この距離Ｌｒｇｂが大きいほど、色点Ｃｐｘの明度は高い。この距離Ｌｒｇｂは、色点Ｃｐｘの明度の指標として採用可能である（以下、「明度Ｌｒｇｂ」とも呼ぶ）。
【００２７】
印刷制御部２８０は、パッチデータ１３４のＲＧＢの色値（すなわち、ＲＧＢのそれぞれの階調値）を、プリンタ３００で利用可能な色材の量に対応するＣＭＹＫの色値（すなわち、ＣＭＹＫのそれぞれの階調値）に変換し、変換されたＣＭＹＫの色値を用いてハーフトーン処理を実行することによって、カラーパッチＣＰを表す印刷データを生成する。印刷制御部２８０は、ＲＧＢの色値からＣＭＹＫの色値への変換に、ステップＳ１１０で生成された基準色変換情報１３７を使用する。
【００２８】
図２の次のステップＳ１３０では、測色器４００（図１）は、Ｎ個のカラーパッチＣＰを、測色する。本実施例では、測色制御部２７０は、測色器４００に、測色実行指示を送信する。測色器４００のセンサ４２０は、指示に従って測色を行い、測色値を取得する。測色値は、プリンタ３００等のデバイスに依存しない色空間、例えば、ＣＩＥのＬ＊ａ＊ｂ＊色空間で表されている。センサ４２０は、取得した測色値を表す測色データを、データ処理装置１００に送信し、測色制御部２７０は、測色器４００からの測色データを受信する。
【００２９】
なお、本実施例では、印刷機構３２０は、カラーパッチＣＰが印刷された印刷媒体に対して相対的に測色器４００を移動させる移動機構を、含んでいる。測色制御部２７０は、この移動機構を制御するによって、自動的に、Ｎ個のカラーパッチＣＰを測色器４００でスキャンする。この代わりに、ユーザが、手動で、Ｎ個のカラーパッチＣＰを測色器４００でスキャンしてもよい。
【００３０】
図２の次のステップＳ１４０では、生成部２２０は、ステップＳ１３０で取得されたＮ個の測色値に適合するように基準測色値情報１３５ａの基準測色値を調整することによって、目標測色値情報１３５ｂを生成する。基準測色値情報１３５ａは、Ｎ個のカラーパッチＣＰに予め対応付けられたＮ個の基準測色値を表している。基準測色値は、カラーパッチＣＰ（すなわち、入力色値）に対応付けられた好ましい色を、示している。例えば、図３の無彩色軸ＧＸ上のカラーパッチＣＰの基準測色値は、Ｌ＊ａ＊ｂ＊色空間内の黒頂点Ｖｋと白頂点Ｖｗとの２個の基準測色値を結ぶ直線上に、配置されている。そして、図３の色立体ＣＣ内の等色相面上の複数のカラーパッチＣＰの複数の基準測色値の間では、色相がおおよそ同じである。また、Ｎ個の基準測色値は、Ｎ個のカラーパッチＣＰのＮ個のＲＧＢの色値と、Ｎ個の基準測色値と、の間で、彩度の大小関係と明度の大小関係とが維持されるように、予め決定されている。ただし、他の特性を示す基準測色値情報１３５ａを採用してもよい。
【００３１】
なお、カラーパッチＣＰの実際の測色値は、印刷媒体の種類や印刷機構３２０の個体差に応じて変化し得る。この結果、基準測色値を実現する色の印刷が不可能である場合がある。そこで、本実施例では、生成部２２０は、基準測色値を実際の測色値に適合させることによって、目標測色値を決定する。基準測色値から目標測色値を決定する方法としては、任意の方法を採用可能である。例えば、基準測色値が分布する第１色域を、実際の測色値が分布する第２色域上に写像（マップ）し、そして、基準測色値を第２色域上に写像する場合の写像された色値を目標測色値として採用する方法を、採用可能である。第１色域を第２色域上に写像する方法としては、任意の方法を採用可能である。例えば、いわゆるガマットマッピングの方法を採用可能である。
【００３２】
例えば、生成部２２０は、複数のカラーパッチＣＰによって表される複数の色相のそれぞれの最高彩度の色と、白と、黒と、のそれぞれのカラーパッチＣＰの目標測色値として、実際の測色値を採用する。そして、生成部２２０は、これらのカラーパッチＣＰのための測色値が基準測色値から実際の測色値へ調整されることに合わせて、他のカラーパッチＣＰの基準測色値を調整することによって、他のカラーパッチＣＰの目標測色値を決定する。
【００３３】
ここで、色立体ＣＣ（図３）の無彩色軸ＧＸ上の色値に対応付けられた目標測色値としては、Ｌ＊ａ＊ｂ＊色空間内の黒頂点Ｖｋと白頂点Ｖｗとの２個の目標測色値を結ぶ直線上の色値が、採用される。また、図３の色立体ＣＣ内の等色相面上の複数の色値に対応付けられた目標測色値としては、色相が同じ複数の目標測色値が採用される。また、Ｎ個の目標測色値は、Ｎ個のカラーパッチＣＰのＮ個のＲＧＢの色値と、Ｎ個の目標測色値と、の間で、彩度の大小関係と明度の大小関係とが維持されるように、決定される。ただし、目標測色値としては、他の特性を示す色値を採用してもよい。
【００３４】
図２の次のステップＳ１５０では、生成部２２０は、色変換情報１３８を生成する。まず、生成部２２０は、ステップＳ１３０で取得された測色値を用いて、出力色値と測色値との対応関係を表す出力色データを生成する。出力色データは、例えば、出力色値と測色値との複数の組合せ（すなわち、対応関係）を表すルックアップテーブルである。生成部２２０は、各カラーパッチＣＰの入力色値を、パッチデータ１３４を用いて特定し、入力色値に対応付けられた出力色値を、基準色変換情報１３７を用いて特定することによって、各カラーパッチＣＰの出力色値を特定する。そして、生成部２２０は、各カラーパッチＣＰの出力色値と、各カラーパッチＣＰの測色値とを用いて、出力色データを生成する。
【００３５】
次に、生成部２２０は、各カラーパッチＣＰの目標測色値に対応付けられる出力色値を、上記の出力色データを用いて特定する（以下「目標出力色値」と呼ぶ）。生成部２２０は、例えば、出力色データによって定められる出力色値と測色値との複数の対応関係を補間することによって、任意の目標測色値に対応付けられる目標出力色値を算出可能である。そして、生成部２２０は、各カラーパッチＣＰの入力値と、各カラーパッチＣＰの目標出力色値と、の対応関係を表すデータを、色変換情報１３８として、生成する。そして、次のステップＳ１５５で、生成部２２０は、生成した色変換情報１３８を、記憶装置（例えば、不揮発性記憶装置１３０）に格納する。
【００３６】
図２の次のステップＳ１６０では、修正部２１０は、基準画像データ１３９によって表される基準画像を色変換情報１３８に従って印刷する場合の色材の使用量を算出する。基準画像データ１３９は、第１色空間で表された、予め準備された画像データである。基準画像データ１３９は、種々の色を表す画像データであり、例えば、複数の画像（例えば、写真と、イラストと、カラーパッチ）を表すＲＧＢビットマップデータである。修正部２１０は、基準画像データ１３９の入力色値（ここでは、ＲＧＢの色値）から、色変換情報１３８に従って、出力色値（ここでは、ＣＭＹＫの色値）を算出する。修正部２１０は、例えば、色変換情報１３８によって定められる入力色値と出力色値との複数の対応関係を補間することによって、任意の入力色値に対応付けられる出力色値を算出可能である。ここで、色材の使用量としては、印刷に使用可能な全ての色材（ここでは、ＣＭＹＫの４個の色材）の合計使用量が採用される。修正部２１０は、基準画像データ１３９の全ての画素位置における全ての色成分Ｃ、Ｍ、Ｙ、Ｋの出力色値を足し合わせることによって、合計使用量（すなわち、色材の使用量）を算出する。なお、図２の処理が開始されてから初めてステップＳ１６０が実行される場合、色変換情報１３８は、未修正の目標測色値に基づいて生成されているので、算出される色材使用量は、未修正の目標測色値に基づく色材使用量である。
【００３７】
次のステップＳ１７０では、修正部２１０は、色材量の条件が満たされるか否かを判定する。色材量の条件は、ステップＳ１６０で算出された色材の使用量が、所定の範囲（以下「目標使用量範囲」と呼ぶ）内であることである。本実施例では、目標使用量範囲は、所定の下限値以上、所定の上限値以下の範囲である。この目標使用量範囲は、色材の合計使用量の好ましい範囲を表している。色材の合計使用量が目標使用量範囲の上限値よりも大きいことは、色変換情報１３８に従う印刷処理が色材を使いすぎることを、示している。一方、色材の合計使用量が目標使用量範囲の下限値よりも小さいことは、色変換情報１３８に従う印刷処理で印刷される画像が薄すぎることを、示している。
【００３８】
色材の合計使用量が目標使用量範囲内である場合（Ｓ１７０：Ｙｅｓ）、修正部２１０は、図２の処理を終了する。以後、印刷制御部２８０は、不揮発性記憶装置１３０に格納された色変換情報１３８を参照することによって、印刷を行う。具体的には、印刷制御部２８０は、ＲＧＢ色空間で表された画像データを用いて印刷データを生成し、生成した印刷データをプリンタ３００に供給する。ここで、印刷制御部２８０は、色変換情報１３８に従ってＲＧＢの色値をＣＭＹＫの色値に変換し、変換されたＣＭＹＫの色値を用いてハーフトーン処理を実行することによって、印刷データを生成する。印刷制御部２８０は、例えば、色変換情報１３８によって定められる入力色値（ＲＧＢの色値）と出力色値（ＣＭＹＫの色値）との複数の対応関係を補間することによって、任意の入力色値に対応付けられる出力色値を算出可能である。
【００３９】
色材の合計使用量が目標使用量範囲外である場合（Ｓ１７０：Ｎｏ）、次のステップＳ１８０で、修正部２１０は、色材の合計使用量が目標使用量範囲の上限よりも大きいか否かを判定する。ステップＳ１８０の判定結果が「Ｙｅｓ」である場合、すなわち、色材の合計使用量が目標使用量範囲の上限よりも大きい場合、次のステップＳ１９０で、修正部２１０は、目標測色値情報１３５ｂを修正することによって、修正済目標測色値情報１３６を生成する。
【００４０】
図４は、図２のステップＳ１９０で実行される目標測色値の修正処理のフローチャートである。修正部２１０は、図４の処理を行うことによって、Ｎ個の目標測色値のうちの後述する条件を満たす目標測色値を修正する。
【００４１】
最初のステップＳ２００では、修正部２１０は、Ｎ個の目標測色値の中から、未処理の目標測色値を、注目目標測色値（以下「注目色値」とも呼ぶ）として、選択する。
【００４２】
次に、修正部２１０は、以下の３個の条件Ｃ１〜Ｃ３に従って、注目色値が修正対象であるか否かを判定する。
第１条件Ｃ１：注目色値が、外殻上の色値である。
第２条件Ｃ２：注目色値が、無彩色軸上の色値である。
第３条件Ｃ３：注目色値が、特定の色範囲内に含まれる。
３つの条件Ｃ１、Ｃ２、Ｃ３は、図４のステップＳ２０５、Ｓ２１０、Ｓ２２０で、それぞれ判定される。修正部２１０は、注目色値が３つの条件Ｃ１〜Ｃ３のうちの少なくとも１つを満たす場合に、注目色値が修正対象ではないと判定する。すなわち、注目色値が、外殻上ではなく、かつ、無彩色軸上ではなく、かつ、特定の色範囲外である場合に、修正部２１０は、注目色値を修正する。
【００４３】
ステップＳ２０５では、修正部２１０は、注目色値がＮ個の目標測色値の分布領域の外殻上の色値であるか否か（すなわち、第１条件Ｃ１が満たされるか否か）を判定する。本実施例では、目標測色値情報１３５ｂは、ＲＧＢ色空間とＬ＊ａ＊ｂ＊色空間との間で彩度の大小関係と明度の大小関係とのそれぞれが逆転しないように、決定される。従って、色立体ＣＣの外殻は、Ｌ＊ａ＊ｂ＊色空間内の目標測色値の分布領域の外殻に、対応付けられる。そこで、修正部２１０は、注目色値が、色立体ＣＣ（図３）の外殻上の色値に対応付けられている場合に、注目色値が外殻上の色値であると判定する。なお、色立体ＣＣの外殻は、ＲＧＢの少なくとも１つが「ゼロ」である３個の面と、ＲＧＢの少なくとも１つが最大値（ここでは、２５５）である３個の面と、の６個の面で構成されている。
【００４４】
注目色値が外殻上の色値ではない場合（Ｓ２０５：Ｎｏ）、次のステップＳ２１０で、修正部２１０は、注目色値が無彩色軸上の色値であるか否か（すなわち、第２条件Ｃ２が満たされるか否か）を判定する。本実施例では、上記のように、色立体ＣＣの無彩色軸ＧＸ上の色値の目標測色値は、黒頂点Ｖｋと白頂点Ｖｗとのそれぞれの目標測色値を結ぶ直線上に、配置される。従って、修正部２１０は、注目色値が、色立体ＣＣ（図３）の無彩色軸ＧＸ上の色値に対応付けられている場合に、注目色値が無彩色軸上の色値であると判定する。
【００４５】
注目色値が無彩色軸上の色値ではない場合（Ｓ２１０：Ｎｏ）、次のステップＳ２２０で、修正部２１０は、注目色値が特定の色範囲内に含まれるか否か（すなわち、第３条件Ｃ３が満たされるか否か）を判定する。本実施例では、特定の色範囲として、所定の肌色範囲が採用される。画像中の肌色の領域は、人物画像の画質（例えば、見た目の印象）に大きな影響を与え得る。従って、肌色範囲内の色については、目標測色値（より詳細には、明度）を変更せずに、維持することが好ましい。なお、特定の色範囲としては、肌色範囲に限らず、他の任意の色範囲（例えば、空を表す青色範囲）を採用可能である。
【００４６】
３つの条件Ｃ１、Ｃ２、Ｃ３の少なくとも１つが満たされる場合（Ｓ２０５：Ｙｅｓ、または、Ｓ２１０：Ｙｅｓ、または、Ｓ２２０：Ｙｅｓ）、修正部２１０は、注目色値を修正せずに、ステップＳ２７０に移行する。ステップＳ２７０では、修正部２１０は、全ての目標測色値の処理が終了したか否かを判定する。未処理の目標測色値が残っている場合（Ｓ２７０：Ｎｏ）、修正部２１０は、ステップＳ２００に戻って、未処理の目標測色値の処理を行う。
【００４７】
３つの条件Ｃ１、Ｃ２、Ｃ３の全てが満たされない場合（Ｓ２０５：Ｎｏ、かつ、Ｓ２１０：Ｎｏ、かつ、Ｓ２２０：Ｎｏ）、修正部２１０は、注目色値を修正するための処理（Ｓ２３０〜Ｓ２６０）を実行する。
【００４８】
ステップＳ２３０では、修正部２１０は、最高彩度の色点の明度が所定の修正上限ＬＬよりも大きいか否かを判定する。ここで、最高彩度の色点の明度は、注目色値と色相が同じ目標測色値のうちの最高彩度の目標測色値の明度Ｌ＊である。
【００４９】
図５は、Ｌ＊ａ＊ｂ＊色空間における１つの等色相面の例を示す概略図である。横軸は、彩度Ｃｈを示し、縦軸は、明度Ｌ＊を示している。明度Ｌ＊は、Ｌ＊ａ＊ｂ＊色空間のＬ＊値を示している。彩度Ｃｈは、Ｌ＊ａ＊ｂ＊色空間のａ＊値とｂ＊値とによって表される彩度である。本実施例では、彩度Ｃｈは、ａ＊値の２乗とｂ＊値の２乗との和の平方根によって算出される。
【００５０】
図５中では、目標測色値が分布する領域の外殻ＯＬｐと、無彩色軸ＧＸｂとが、太線で示されている。図示を省略するが、外殻ＯＬｐ上と、無彩色軸ＧＸｂ上と、外殻ＯＬｐと無彩色軸ＧＸｂとで囲まれる領域内とに、複数の目標測色値が分散して配置されている。このように等色相面上の色の範囲は、色相が同じ色の範囲である（以下、等色相範囲と呼ぶ）。図中では、一部の目標測色値が、黒点で示されている。例えば、図３の黒頂点Ｖｋと白頂点Ｖｗとに対応する目標測色値が、それぞれ、同じ符号で示されている。また、色点Ｖｐは、図５の等色相面上に配置される複数の目標測色値のうち、彩度Ｃｈが最も高い目標測色値を示している（以下、「最高彩度の色値Ｖｐ」と呼ぶ）。図５の例は、最高彩度の色値Ｖｐの明度Ｌ＊（以下、最高彩度の色点の明度Ｌｐと呼ぶ）が、修正上限ＬＬよりも大きい場合を示している。
【００５１】
図５中には、３つの色範囲Ｒ１ｐ、Ｒ２ｐ、Ｒ３ａが示されている。無彩色範囲Ｒ３ａは、無彩色軸ＧＸｂによって構成される色範囲である。無彩色範囲Ｒ３ａに含まれる目標測色値は、無彩色軸ＧＸｂ上の目標測色値である。第１色範囲Ｒ１ｐは、外殻ＯＬｐによって構成される色範囲である。第１色範囲Ｒ１ｐに含まれる目標測色値は、外殻ＯＬｐ上の目標測色値である。第２色範囲Ｒ２ｐは、第１色範囲Ｒ１ｐよりも内側の部分のうち、明度Ｌ＊が修正上限ＬＬ以下の部分である（無彩色範囲Ｒ３ａを除く）。図中では、第２色範囲Ｒ２ｐに、ハッチングが付されている。ここで、第１色範囲Ｒ１ｐよりも内側の部分は、略同一の彩度Ｃｈを有する各色点については、第１色範囲Ｒ１ｐよりも明度Ｌ＊が大きい部分であり、略同一の明度Ｌ＊を有する各色点については、第１色範囲Ｒ１ｐよりも彩度Ｃｈが小さい部分である。第２色範囲Ｒ２ｐ内の目標測色値の明度Ｌ＊は、第１色範囲Ｒ１ｐ内の彩度Ｃｈがおおよそ同じ目標測色値の明度Ｌ＊よりも、高い。
【００５２】
図５に示されるように、最高彩度の色点の明度Ｌｐが修正上限ＬＬよりも大きい場合（図４：Ｓ２３０：Ｙｅｓ）、次のステップＳ２５０で、修正部２１０は、注目色値の明度Ｌ＊が修正上限ＬＬ以下である場合に、修正上限ＬＬを用いて注目色値の明度Ｌ＊を修正する。図５の例では、注目色値が第２色範囲Ｒ２ｐに含まれる場合に、修正部２１０は、注目色値の明度Ｌ＊を修正する。
【００５３】
図６は、修正前の明度Ｌ＊と、修正後の明度Ｌ＊と、の対応関係を示すグラフである。横軸は、修正前の明度Ｌ＊を示し、縦軸は、修正後の明度Ｌ＊を示している。白丸は、修正前の目標測色値を示し、黒丸は、修正後の目標測色値を示している。このグラフは、図５の等彩度線ＣｈＬ上の対応関係を示している。この等彩度線ＣｈＬは、彩度Ｃｈが同じ色値を表す線であり、図５中では、Ｌ＊軸と平行な直線である。図５中の第１目標測色値Ｃｏ１は、等彩度線ＣｈＬと外殻ＯＬｐとの２つの交点のうち、明度Ｌ＊が小さい方の交点に位置する目標測色値を示し、第２目標測色値Ｃｏ２は、２つの交点のうち、明度Ｌ＊が大きい方の交点に位置する目標測色値を示している。これらの目標測色値Ｃｏ１、Ｃｏ２は、第１色範囲Ｒ１ｐに含まれている。
【００５４】
図６に示すように、明度Ｌ＊＞修正上限ＬＬの場合、修正部２１０は、明度Ｌ＊を修正しない。また、修正部２１０は、第１色範囲Ｒ１ｐに含まれる第１目標測色値Ｃｏ１の明度Ｌ＊を、修正しない。そして、修正部２１０は、第２色範囲Ｒ２ｐに含まれる目標測色値の明度Ｌ＊を、修正前よりも大きな値に修正する。また、修正前の明度Ｌ＊が小さいほど、明度Ｌ＊の増大量が大きい。ただし、修正前後で、明度Ｌ＊の大小関係は、逆転しない。このように、明度Ｌ＊は、修正上限ＬＬを基準として、修正される。以下、明度修正の基準となる明度を、「修正基準明度」と呼ぶ。
【００５５】
本実施例では、修正部２１０は、明度Ｌ＊の増大量を、修正基準明度（ここでは、修正上限ＬＬ）から修正前の明度Ｌ＊を引いた差分ｄＬが大きいほど、大きくする。例えば、修正部２１０は、演算式「増大量＝ｋｃ＊ｄＬ」に従って、増大量を決定する。ここで、演算記号「＊」は、乗算記号である（以下、同様）。また、値ｋｃは、係数である。係数ｋｃとしては、所定値を採用可能である。
【００５６】
図４のステップＳ２５０では、修正部２１０は、図５の第２色範囲Ｒ２ｐに含まれる目標測色値の明度Ｌ＊を、図６で説明したように、修正する。図５中の白抜きの矢印は、修正による明度Ｌ＊の変化を示している。修正後、修正部２１０は、ステップＳ２７０に移行する。
【００５７】
最高彩度の色点の明度Ｌｐが修正上限ＬＬ以下である場合（図４：Ｓ２３０：Ｎｏ）、修正部２１０は、次のステップＳ２４０で、注目色値の彩度Ｃｈが、彩度閾値Ｃｈｔよりも大きいか否かを判定する。
【００５８】
図７は、Ｌ＊ａ＊ｂ＊色空間における１つの等色相面の別の例を示す概略図である。横軸は、彩度Ｃｈを示し、縦軸は、明度Ｌ＊を示している。図７の例では、図５の例とは異なり、最高彩度の色値Ｖｑの明度Ｌｑ（以下「最高彩度の色点の明度Ｌｑ」と呼ぶ）が、修正上限ＬＬよりも小さい。最高彩度の色値Ｖｑは、図７の等色相面上に配置される複数の目標測色値のうち、彩度Ｃｈが最も高い目標測色値である。
【００５９】
図７中では、目標測色値が分布する領域の外殻ＯＬｑと、無彩色軸ＧＸｂとが、太線で示されている。図中の黒頂点Ｖｋと白頂点Ｖｗと無彩色軸ＧＸｂとは、図５の同じ符号のものと、それぞれ同じである。
【００６０】
図７中には、５つの色範囲Ｒ３ａ、Ｒ１ｑ、Ｒ２ｑ１、Ｒ２ｑ２、Ｒ２ｑ３が、示されている。無彩色範囲Ｒ３ａは、図５の同じ符号の色範囲と同じである。第１色範囲Ｒ１ｑは、外殻ＯＬｑによって構成される色範囲である。第１色範囲Ｒ１ｑに含まれる目標測色値は、外殻ＯＬｑ上の目標測色値である。
【００６１】
ハッチングが付された３つの色範囲Ｒ２ｑ１、Ｒ２ｑ２、Ｒ２ｑ３は、それぞれ、目標測色値が修正対象である色範囲を示している。以下、各色範囲Ｒ２ｑ１、Ｒ２ｑ２、Ｒ２ｑ３を、部分色範囲と呼ぶ。３つの部分色範囲Ｒ２ｑ１、Ｒ２ｑ２、Ｒ２ｑ３は、修正上限ＬＬと彩度閾値Ｃｈｔと最高彩度の色点の明度Ｌｑとを用いて、区画されている。彩度閾値Ｃｈｔは、外殻ＯＬｑ上の色点のうち明度Ｌ＊がＬＬである色点Ｃｐｃの彩度Ｃｈである。第１部分色範囲Ｒ２ｑ１は、第１色範囲Ｒ１ｐよりも内側の部分のうち、明度Ｌ＊が最高彩度の色点の明度Ｌｑ以下、かつ、彩度Ｃｈが彩度閾値Ｃｈｔよりも大きい色範囲である。第２部分色範囲Ｒ２ｑ２は、第１色範囲Ｒ１ｐよりも内側の部分のうち、明度Ｌ＊が最高彩度の色点の明度Ｌｑ以下、かつ、彩度Ｃｈが彩度閾値Ｃｈｔ以下の色範囲である（無彩色範囲Ｒ３ａを除く）。第３部分色範囲Ｒ２ｑ３は、第１色範囲Ｒ１ｐよりも内側の部分のうち、明度Ｌ＊が最高彩度の色点の明度Ｌｑを超え修正上限ＬＬ以下であり、かつ、彩度Ｃｈが彩度閾値Ｃｈｔ以下の色範囲である（無彩色範囲Ｒ３ａを除く）。
【００６２】
注目色値の彩度Ｃｈが、彩度閾値Ｃｈｔ以下である場合（図４：Ｓ２４０：Ｎｏ）、次のステップＳ２５０で、修正部２１０は、注目色値の明度Ｌ＊が修正上限ＬＬ以下である場合に、修正上限ＬＬを用いて注目色値の明度Ｌ＊を修正する。図７の例では、注目色値が第２部分色範囲Ｒ２ｑ２、または、第３部分色範囲Ｒ２ｑ３に含まれる場合に、修正部２１０は、注目色値の明度Ｌ＊を修正する。修正部２１０は、図６で説明したように、明度Ｌ＊を修正する。修正の終了後、修正部２１０は、ステップＳ２７０に移行する。図７中の白抜きの矢印は、修正による明度Ｌ＊の変化を示している。
【００６３】
注目色値の彩度Ｃｈが、彩度閾値Ｃｈｔよりも大きい場合（図４：Ｓ２４０：Ｙｅｓ）、次のステップＳ２６０で、修正部２１０は、注目色値の明度Ｌ＊が最高彩度の色点の明度Ｌｑ以下である場合に、最高彩度の色点の明度Ｌｑを用いて注目色値の明度Ｌ＊を修正する。図７の例では、注目色値が第１部分色範囲Ｒ２ｑ１に含まれる場合に、修正部２１０は、注目色値の明度Ｌ＊を修正する。
【００６４】
ステップＳ２６０での明度Ｌ＊の修正方法は、図６で説明したステップＳ２５０の修正方法の修正基準明度を修正上限ＬＬから最高彩度の色点の明度Ｌｑに変更することによって得られる方法と、同じである。すなわち、明度Ｌ＊＞最高彩度の色点の明度Ｌｑの場合、修正部２１０は、明度Ｌ＊を修正しない。修正部２１０は、第１部分色範囲Ｒ２ｑ１に含まれる目標測色値の明度Ｌ＊を、修正前よりも大きな値に修正する。ここで、修正前の明度Ｌ＊が小さいほど、明度Ｌ＊の増大量が大きい。ただし、修正前後で、明度Ｌ＊の大小関係は、逆転しない。
【００６５】
本実施例では、修正部２１０は、明度Ｌ＊の増大量を、修正基準明度（ここでは、最高彩度の色点の明度Ｌｑ）から修正前の明度Ｌ＊を引いた差分ｄＬが大きいほど、大きくする。例えば、修正部２１０は、演算式「増大量＝ｋｃ＊ｄＬ」に従って、増大量を決定する。値ｋｃは、上記の係数ｋｃである。修正の終了後、修正部２１０は、ステップＳ２７０に移行する。
【００６６】
図８は、Ｌ＊ａ＊ｂ＊色空間における１つの等色相面の別の例を示す概略図である。横軸は、彩度Ｃｈを示し、縦軸は、明度Ｌ＊を示している。図８の例は、等色相面が、特定の色範囲（図４：Ｓ２２０：第３条件Ｃ３）を含む場合を示している。図中の特定部分色範囲ＲＳは、特定の色範囲に含まれる部分を示している。また、外殻ＯＬｓは、目標測色値が分布する領域の外殻である。最高彩度の色値Ｖｓは、図８の等色相面上に配置される複数の目標測色値のうち、彩度Ｃｈが最も高い目標測色値である。図８の例では、最高彩度の色値Ｖｓの明度Ｌｓは、修正上限ＬＬよりも大きい。黒頂点Ｖｋと白頂点Ｖｗと無彩色軸ＧＸｂとは、図５の同じ符号のものと、それぞれ同じである。
【００６７】
図８中には、特定部分色範囲ＲＳに加えて、３つの色範囲Ｒ３ａ、Ｒ１ｓ、Ｒ２ｓが、示されている。無彩色範囲Ｒ３ａは、図５の同じ符号の色範囲と同じである。第１色範囲Ｒ１ｓは、外殻ＯＬｓによって構成される色範囲である。第１色範囲Ｒ１ｓに含まれる目標測色値は、外殻ＯＬｓ上の目標測色値である。第２色範囲Ｒ２ｓは、第１色範囲Ｒ１ｓよりも内側の明度Ｌ＊が修正上限ＬＬ以下の部分から、特定部分色範囲ＲＳと無彩色範囲Ｒ３ａとを除いた残りの部分である。この第２色範囲Ｒ２ｓ内の目標測色値が、修正対象である。
【００６８】
図８に示すように注目色値を含む等色相面が特定部分色範囲ＲＳ（すなわち、第３条件Ｃ３の特定の色範囲）を含む場合、修正部２１０は、以下のように、第２色範囲Ｒ２ｓに含まれる注目色値の明度Ｌ＊を修正する。図４のステップＳ２５０では、修正部２１０は、注目色値の明度Ｌ＊が修正上限ＬＬ以下である場合、第２色範囲Ｒ２ｓと注目色値とから最高明度を特定する。図８には、注目色値Ｖｔと最高明度Ｌｈとが、例として示されている。最高明度Ｌｈは、第２色範囲Ｒ２ｓ内の色のうち、彩度Ｃｈが注目色値Ｖｔと同じであり、かつ、明度Ｌ＊が最も高い色Ｖｈの明度Ｌ＊である。
【００６９】
修正部２１０は、最高明度と修正上限ＬＬとのうちの小さい明度を修正基準明度として採用することによって、明度Ｌ＊を修正する。最高明度が修正上限ＬＬよりも小さい場合、修正部２１０は、最高明度を修正基準明度として用いて、注目色値の明度Ｌ＊を修正する。すなわち、最高明度に近づくように、明度Ｌ＊が修正される。修正上限ＬＬが最高明度以下の場合、修正部２１０は、修正上限ＬＬを修正基準明度として、注目色値の明度Ｌ＊を修正する。すなわち、修正上限ＬＬに近づくように、明度Ｌ＊が修正される。なお、注目色値の彩度Ｃｈが、特定部分色範囲ＲＳの最高彩度ＣｈＲよりも大きい場合には、修正基準明度として修正上限ＬＬが採用される。
【００７０】
図７の等色相面が特定の色範囲（図４：Ｓ２２０：第３条件Ｃ３）を含む場合も、同様である。修正対象は、３つの色範囲Ｒ２ｑ１、Ｒ２ｑ２、Ｒ２ｑ３から、特定の色範囲を除いた残りである。注目色値の彩度Ｃｈが彩度閾値Ｃｈｔ以下の場合、修正部２１０は、図４のステップＳ２５０で、図８の第２色範囲Ｒ２ｓと同様に、注目色値の明度Ｌ＊を修正する。注目色値の彩度Ｃｈが彩度閾値Ｃｈｔよりも大きい場合、修正部２１０は、図４のステップＳ２６０で、最高明度と最高彩度の色点の明度Ｌｑとのうちの小さい明度を修正基準明度として採用することによって、注目色値の明度Ｌ＊を修正する。ここで、最高明度は、第１部分色範囲Ｒ２ｑ１から特定の色範囲を除いた残りの色範囲内の色のうち、彩度Ｃｈが注目色値と同じであり、かつ、明度Ｌ＊が最も高い色の明度Ｌ＊である（図示省略）。
【００７１】
以上のように、修正部２１０は、目標測色値を修正する。そして、全ての目標測色値の処理が終了した場合（Ｓ２７０：Ｙｅｓ）、次のステップＳ２８０で、修正部２１０は、修正済目標測色値情報１３６を生成し、生成した修正済目標測色値情報１３６を記憶装置（例えば、不揮発性記憶装置１３０）に格納する。修正済目標測色値情報１３６は、修正されずに維持された目標測色値と、修正された目標測色値と、を含むＮ個の目標測色値を表している。そして、修正部２１０は、図４の処理を終了する。続く図２のステップＳ１５０では、生成部２２０は、修正済目標測色値情報１３６を用いて、色変換情報を生成する。
【００７２】
図９は、色変換情報１３８に従って印刷される色の概略図である。図中には、図５と同じ等色相面が示されている。横軸は、彩度Ｃｈを示し、縦軸は、明度Ｌ＊を示している。図中の黒丸は、カラーパッチＣＰと同じ入力色値から色変換情報１３８によって得られる出力色値によって実現され得る測色値を示している。黒丸によって表される測色値は、修正済目標測色値情報１３６によって表される目標装飾値と、おおよそ同じである。図中の白丸は、目標測色値を修正しない場合に実現され得る測色値を示している。白丸によって表される測色値は、図５で説明した修正前の目標測色値と、おおよそ同じである。
【００７３】
図中の二重線は、外殻ＯＬｐ上のカラーパッチＣＰの入力色値と、一段階内側のカラーパッチＣＰの入力色値と、の間の入力色値の色を印刷する場合に実現され得る測色値を示している。このような色を印刷する場合には、外殻ＯＬｐ上の入力色値と出力色値との対応関係と、１段階内側の入力色値と出力色値との対応関係と、を補間することによって、出力色値が決定される。実線の二重線は、目標測色値が修正される場合に実現され得る測色値を示し、点線の二重線は、目標測色値が修正されない場合に実現され得る測色値を示している。図示するように、修正上限ＬＬよりも暗い色の明度Ｌ＊が、目標測色値の修正によって、より明るい色に変更される。この結果、色材の使用量を低減できる。
【００７４】
また、上述したように、外殻ＯＬｐ上のカラーパッチＣＰの目標測色値は、修正されない。従って、目標測色値が分布する色域の外殻は、縮小されずに維持される。この結果、印刷可能な色の範囲が狭くなることを抑制できる。
【００７５】
図２のステップＳ１９０で目標測色値が修正された後に、再びステップＳ１７０、Ｓ１８０で、色材の合計使用量が目標使用量範囲の上限よりも大きいと判定される場合には、修正部２１０は、ステップＳ１９０で、より大きく修正された目標測色値を決定する。例えば、修正部２１０は、上記の係数ｋｃに所定値を加算して係数ｋｃをより大きな値に変更することによって、より大きく修正された目標測色値を決定する。
【００７６】
図２のステップＳ１８０の判定結果が「Ｎｏ」である場合、すなわち、色材の合計使用量が目標使用量範囲の下限よりも小さい場合、処理はステップＳ１００に移行する。この場合、生成部２２０は、出力色値の上限値を、より大きな値に更新し（Ｓ１００）、基準色変換情報１３７を、更新された上限値に合わせて、生成する（Ｓ１１０）。そして、更新された基準色変換情報１３７に従って、上述のステップＳ１２０〜１７０が、行われる。
【００７７】
図１０は、出力色値の上限値の更新による色域の変化を示す概略図である。図中には、図５と同じ等色相面が示されている。図中には、２つの外殻ＯＬｐ、ＯＬｐｘが示されている。第１外殻ＯＬｐは、出力色値の上限値を更新する前の外殻であり、図５の外殻ＯＬｐと同じである。第２外殻ＯＬｐｘは、出力色値の上限値を更新した後の外殻である。図１０の例では、色域が、彩度のより高い範囲まで拡張されている。この結果、色材の合計使用量が増大する。
【００７８】
以上のように、色材の合計使用量が目標使用量範囲の下限よりも小さい場合（図２：Ｓ１７０：Ｎｏ、Ｓ１８０：Ｎｏ）、生成部２２０は、出力色値の上限値をより大きな値に修正する（Ｓ１００）。また、色材の合計使用量が目標使用量範囲の上限よりも大きい場合（図２：Ｓ１７０：Ｎｏ、Ｓ１８０：Ｙｅｓ）、修正部２１０は、目標測色値の明度Ｌ＊をより大きな値に修正する。以上により、生成部２２０は、色材の適切な使用量を実現する色変換情報１３８を生成可能である。
【００７９】
また、修正部２１０は、目標測色値を表す特定色空間内の色相が同じである色範囲（すなわち、等色相範囲）において、以下の処理を実行する。すなわち、修正部２１０は、等色相範囲での最高彩度の目標測色値である最高彩度の色値よりも暗い暗色範囲のうち、Ｎ個の目標測色値の分布領域の外殻を含む第１色範囲内では、目標測色値の明度を増加させない。従って、色材によって表現可能な色域が小さくなることを抑制できる。ここで、最高彩度の色値は、例えば、図５、図７、図８の最高彩度の色値Ｖｐ、Ｖｑ、Ｖｓである。暗色範囲は、例えば、図５、図７、図８の最高彩度の色点の明度Ｌｐ、Ｌｑ、Ｌｓよりも暗い色範囲である。外殻は、例えば、図５、図７、図８の外殻ＯＬｐ、ＯＬｑ、ＯＬｓである。第１色範囲は、例えば、図５、図７、図８の第１色範囲Ｒ１ｐ、Ｒ１ｑ、Ｒ１ｓである。
【００８０】
また、修正部２１０は、上記暗色範囲のうち、第１色範囲よりも内側の部分のうち少なくとも一部の第２色範囲では、目標測色値の明度を増加させる。従って、色材の使用量を抑制できる。ここで、第２色範囲は、例えば、図５、図７、図８の色範囲Ｒ２ｐ、Ｒ２ｑ１、Ｒ２ｑ２、Ｒ２ｓである。
【００８１】
また、図６に示すように、第２色範囲Ｒ２ｐのうちの第１色範囲Ｒ１ｐと接する第１部分Ｒ２ｐｏでは、第２色範囲Ｒ２ｐのうちの第１色範囲Ｒ１ｐから離れた部分（すなわち、第１部分Ｒ２ｐｏよりも明るい部分）である第２部分Ｒ２ｐｉと比べて、修正前の明度Ｌ＊の変化に対する修正後の明度Ｌ＊の変化の割合が、大きい。ここで、上述したように、ＲＧＢの色値と目標測色値との対応関係、すなわち、第１色空間と目標測色値を表す特定色空間との間の対応関係は、明度の大小関係が維持されるように、決定される。従って、修正前の明度Ｌ＊は、第１色空間の明度（例えば、図３の明度Ｌｒｇｂ）と相関がある。従って、図６が示す上記の関係は、以下のように言い換えることができる。すなわち、第１色空間（例えば、ＲＧＢ色空間）内での明度Ｌｒｇｂの変化に対する特定色空間（例えば、Ｌ＊ａ＊ｂ＊色空間）内での明度Ｌ＊の変化の割合を明度変化割合と呼ぶ。第２色範囲Ｒ２ｐのうちの第１色範囲Ｒ１ｐと接する部分である第１部分Ｒ２ｐｏでの明度変化割合は、第２色範囲Ｒ２ｐのうちの第１色範囲Ｒ１ｐから離れた部分である第２部分Ｒ２ｐｉでの明度変化割合よりも、大きい。従って、第１色空間内の明度Ｌｒｇｂと修正された明度Ｌ＊との間で大小関係が逆転することを抑制できる。この結果、明度Ｌ＊の修正に起因して不自然な色が印刷されることを抑制できる。また、色材によって表現可能な色域が小さくなることを抑制しつつ、色材の使用量を抑制できる。
【００８２】
また、図６に示すように、修正部２１０は、第２色範囲Ｒ２ｐにおいて、第１目標測色値Ｃｘ１の明度Ｌ＊の第１増加量Ｌｕ１として、第１目標測色値Ｃｘ１よりも暗い第２目標測色値Ｃｘ２の明度Ｌ＊の第２増加量Ｌｕ２よりも小さい値を用いる。従って、修正部２１０は、第１色空間（例えば、ＲＧＢ色空間）内の色値の明度の増大に応じて目標測色値の明度が増大するという関係を維持しつつ、目標測色値の明度を修正（具体的には、増加）できる。この結果、目標測色値の修正に起因して色の変化が不自然になることを、抑制できる。
【００８３】
また、図４のステップＳ２２０、図８で説明したように、修正部２１０は、特定色範囲内の目標測色値を修正せずに、等色相範囲のうち特定色範囲に含まれる部分を除いた残りの部分に含まれる色範囲Ｒ２ｓを、明度Ｌ＊を修正すべき第２色範囲Ｒ２ｓとして用いる。従って、特定色範囲の色を適切な色に維持しつつ、色材の使用量を抑制できる。
【００８４】
また、図４、図７で説明したように、修正部２１０は、等色相範囲のうち彩度Ｃｈが彩度閾値Ｃｈｔを超える色範囲においては、明度Ｌｑ以下の明度範囲内の目標測色値の明度を増加させ、等色相範囲のうちの彩度Ｃｈが彩度閾値Ｃｈｔ以下である色範囲においては、明度Ｌｑよりも明るい明度ＬＬ以下の明度範囲内の目標測色値を増加させる。このように、目標測色値の明度Ｌ＊が増加される色範囲を広くすることができるので、色材の使用量を更に低減できる。
【００８５】
なお、彩度Ｃｈが彩度閾値Ｃｈｔを超える色範囲における修正基準明度（「第１明度」と呼ぶ）としては、最高彩度の色点の明度Ｌｑ以下の任意の値を採用可能である。また、彩度Ｃｈが彩度閾値Ｃｈｔ以下である色範囲における修正基準明度（「第２明度」と呼ぶ）としては、第１明度よりも明るい任意の値を採用可能である。ただし、第１明度が、最高彩度の色点の明度Ｌｑを超えていてもよい。また、第２明度が第１明度と同じ、あるいは、第１明度未満であってもよい。
【００８６】
Ｂ．第２実施例：
図１１は、明度Ｌ＊を修正する場合の明度Ｌ＊の増加量の別の実施例を示すグラフである。横軸は、図２の処理が開始されてから初めて実行されるステップＳ１６０で算出される色材使用量（以下「対象使用量Ｕ」と呼ぶ）を示している。すなわち、対象使用量Ｕは、未修正の目標測色値に基づいて決定される色変換情報１３８を用いて基準画像データ１３９の色変換を行うことによって基準画像を印刷する場合の色材使用量である。縦軸は、明度Ｌ＊の増大量の算出に用いられる上記の係数ｋｃを示している。第１実施例との差異は、修正部２１０が、対象使用量Ｕに応じて係数ｋｃを変更する点だけである。図２、図４の処理は、第１実施例と同様に、実行される。第２実施例で用いられる複合機１０００の構成は、図１に示す複合機１０００の構成と、同じである。
【００８７】
本実施例では、図２のステップＳ１９０（図４の処理）で、修正部２１０は、図１１のグラフに従って決まる係数ｋｃを用いて、明度Ｌ＊を修正する。上述したように、係数ｋｃが大きいほど、明度Ｌ＊の増加量は大きい。従って、図１１の縦軸は、明度Ｌ＊の増加量を示している、ということもできる。図示するように、対象使用量Ｕが目標使用量範囲の上限値Ｕｕよりも大きい場合には、対象使用量Ｕが大きいほど、係数ｋｃ（すなわち、明度Ｌ＊の増加量）が大きい。例えば、修正部２１０は、対象使用量Ｕが上限値Ｕｕよりも大きい第１使用量Ｕ１である場合に、係数ｋｃとして第１値ｋｃ１を用い、対象使用量Ｕが第１使用量Ｕ１よりも大きい第２使用量Ｕ２である場合に、係数ｋｃとして、第１値ｋｃ１よりも大きい第２値ｋｃ２を用いる。例えば、１つの目標測色値に注目する場合、対象使用量Ｕが第１使用量Ｕ１である場合には、その目標測色値の明度Ｌ＊の増大量は、第１値ｋｃ１に応じて決まる第１値であり、対象使用量Ｕが第２使用量Ｕ２である場合には、その目標測色値の明度Ｌ＊の増大量は、第２値ｋｃ２に応じて決まる第２値である（第２値は第１値よりも大きい）。
【００８８】
このように、修正部２１０は、対象使用量Ｕが第１使用量Ｕ１である第１の場合と比べて、対象使用量Ｕが第２使用量Ｕ２（Ｕ２＞Ｕ１）である第２の場合に、目標測色値の明度Ｌ＊を大きく増加させる（ここで、第１の場合と第２の場合との間の明度Ｌ＊の増加量の比較は、目標測色値毎に行われる）。従って、対象使用量Ｕが比較的大きい場合には、対象使用量Ｕが比較的小さい場合と比べて、目標測色値が、より明るい色値に、修正されるので、色材の使用量が大幅に低減される。この結果、色材の使用量を適切に抑制可能である。
【００８９】
図２のステップＳ１９０で目標測色値が修正された後に、再びステップＳ１７０、Ｓ１８０で、色材の合計使用量が目標使用量範囲の上限よりも大きいと判定される場合には、修正部２１０は、第１実施例と同様に、ステップＳ１９０で、より大きく修正された目標測色値を決定する。
【００９０】
対象使用量Ｕと係数ｋｃとの対応関係としては、図１１に示す対応関係に限らず、他の種々の関係を採用可能である。例えば、対象使用量Ｕの変化に対して係数ｋｃがステップ状に変化してもよい。一般には、１個の目標測色値に注目する場合に、対象使用量Ｕが第２使用量Ｕ２である場合の明度Ｌ＊の第２増加量が、対象使用量Ｕが第１使用量Ｕ１（Ｕ１＜Ｕ２）である場合の明度Ｌ＊の第１増加量よりも大きくなるような、任意の関係を採用可能である。
【００９１】
なお、明度Ｌ＊を修正する方法としては、演算式「増大量＝ｋｃ＊ｄＬ」を用いる方法に限らず、任意の方法を採用可能である。そして、明度Ｌ＊の増加量を制御する方法としても、係数ｋｃを制御する方法に限らず、明度Ｌ＊の修正方法に適した任意の方法を採用可能である。例えば、修正部２１０は、明度Ｌ＊の増加量を、目標測色値と増加量との予め決められた対応関係（例えば、ルックアップテーブル）を参照して、決定してもよい。そして、目標測色値と増加量との複数の対応関係が、互いに異なる対象使用量Ｕに対応付けられても良い。この場合、修正部２１０は、対象使用量Ｕに対応付けられた対応関係を参照して、明度Ｌ＊の増加量を決定する。
【００９２】
Ｃ．変形例：
（１）修正部２１０は、注目色値（すなわち、注目目標測色値）の明度Ｌ＊の修正に用いる最高彩度の色値（すなわち、最高彩度の目標測色値）を、注目色値と色相が同じである目標測色値に限らず、注目色値と色相が異なる目標測色値を含む複数の目標測色値から選択してもよい。例えば、色相の全範囲が予めＭ個（Ｍは２以上の整数）の部分色相範囲に分割され、修正部２１０は、各部分色相範囲毎に、最高彩度の色値を選択してもよい。そして、修正部２１０は、部分色相範囲を含む色範囲（「注目色範囲」と呼ぶ）内において、最高彩度の色値よりも暗い暗色範囲のうち、外殻を含む第１色範囲内では、明度Ｌ＊を増加させずに、暗色範囲のうち、第１色範囲よりも内側の部分の少なくとも一部の第２色範囲内では、目標測色値の明度Ｌ＊を増加させることが好ましい。ここで、略同一の色相と略同一の彩度とを有する各色点については、第２色範囲に含まれる目標測色値の明度Ｌ＊は、第１色範囲に含まれる目標測色値の明度Ｌ＊よりも、高い。また、暗色範囲の最高明度は、最高彩度の色値の明度よりも暗くてもよい。また、図５、図７、図８で説明した等色相範囲は、部分色相範囲の幅をゼロにすることによって得られる注目色範囲に、対応する。
【００９３】
ここで、外殻を含む第１色範囲としては、外殻上の目標測色値に加えて、外殻から離れた目標測色値を含む色範囲を、採用してもよい。この場合、外殻上の目標測色値に加えて、外殻から離れた第１色範囲内の目標測色値も、修正対象外である。また、上記の第１条件Ｃ１（図４：Ｓ２０５）は、「注目色値が第１範囲内である」に拡張される。
【００９４】
また、目標測色値の明度Ｌ＊が修正される第２色範囲としては、図５、図７、図８に示す色範囲に限らず、上述の注目色範囲内における最高彩度の色値よりも暗い暗色範囲のうち、第１色範囲よりも内側の部分の少なくとも一部の種々の色範囲を採用可能である。図１２は、第２色範囲の変形例を示す概略図である。図中には、図５と同じ等色相面が示されている。図中には、予め決められたゼロより大きな彩度閾値Ｃｈｘが、示されている。図１２の例では、第２色範囲Ｒ２ｐａは、第１色範囲Ｒ１ｐよりも内側の部分のうち、明度Ｌ＊が修正上限ＬＬ以下であり、かつ、彩度Ｃｈが彩度閾値Ｃｈｘ以上の部分である（無彩色範囲Ｒ３ａを除く）。このように、彩度Ｃｈが小さい色範囲を明度Ｌ＊の修正対象から外すことによって、主に無彩色を用いて表現された画像（例えば、モノトーン画像）の色を適切な色に維持しつつ、色材の使用量を抑制できる。
【００９５】
（２）目標測色値の修正処理（図２：Ｓ１９０）を行うための条件（「修正条件」と呼ぶ）としては、対象使用量Ｕが目標使用量範囲の上限よりも大きいことに限らず、色材の使用量を抑制すべきことを示す任意の条件を採用可能である。例えば、ユーザが色材の使用量を抑制する指示（「抑制指示」と呼ぶ）をデータ処理装置１００に入力することを、修正条件として採用してもよい。修正部は、ユーザからの抑制指示に応じて、複数の目標測色値の一部を修正すればよい。また、修正条件としては、色材の使用量を抑制すべきことを示す条件に限らず、任意の条件を採用可能である。例えば、ユーザが、複数の目標測色値の一部を修正する指示（「修正指示」と呼ぶ）を、データ処理装置１００に入力することを、修正条件として採用してもよい。修正部は、ユーザからの修正指示に応じて、複数の目標測色値の一部を修正すればよい。
【００９６】
（３）注目色値（注目目標測色値）が修正対象であるための条件としては、上記の３つの条件Ｃ１、Ｃ２、Ｃ３の全てが満たされないことに限らず、第１条件Ｃ１が満たされないことを含む種々の条件を採用可能である。例えば、第２条件Ｃ２と第３条件Ｃ３との少なくとも一方を省略してもよい。
【００９７】
（４）第１色空間としては、ＲＧＢ色空間に限らず、他の任意の色空間を採用可能である。例えば、ＹＣｂＣｒ色空間を採用してもよい。また、測色値を表す特定色空間としては、Ｌ＊ａ＊ｂ＊色空間に限らず、他の任意の色空間を採用可能である。例えば、ＣＩＥのＸＹＺ色空間を採用可能である。一般的には、機器非依存の色空間を採用することが好ましい。また、印刷に用いられる色材としては、ＣＭＹＫの組合せに限らず、任意の数の任意の種類の色材を採用可能である。いずれの場合も、色材の使用量を表す第２色空間としては、印刷に用いられる各色材を色成分として表す色空間を採用可能である。
【００９８】
（５）色変換情報１３８としては、ルックアップテーブルに限らず、入力色値と出力色値との対応関係を定める任意の情報を採用可能である。例えば、入力色値を引数としてとる関数を採用してもよい。他の対応関係を表す情報１３５ａ、１３５ｂ、１３６、１３７についても、同様である。
【００９９】
（６）色変換情報１３８の生成処理の手順は、図２、図４に示す手順に限らず、他の種々の手順を採用可能である。例えば、出力色値の上限が固定されていてもよい。この場合、図２のステップＳ１００、Ｓ１１０、Ｓ１８０を省略可能である。修正部２１０は、ステップＳ１７０の判定結果がＮｏである場合には、ステップＳ１９０に移行すればよい。また、修正部２１０は、図７に示す等色相平面において、目標色値の彩度Ｃｈが彩度閾値Ｃｈｔよりも大きいか否かに拘わらずに、最高彩度の色点の明度Ｌｑよりも明るい目標測色値を修正せずに、最高彩度の色点の明度Ｌｑよりも暗い目標測色値を修正することとしてもよい。この場合、図４のステップＳ２４０が省略され、修正部２１０は、ステップＳ２３０の判定結果がＮｏである場合に、ステップＳ２６０に移行すればよい。
【０１００】
（７）色変換情報１３８の生成処理（図２）を実行するデータ処理装置の構成としては、図１に示す構成に限らず、他の種々の構成を採用可能である。例えば、表示部１４０と操作部１５０との少なくとも一方が省略されてもよい。また、複合機１０００とは異なる種類の装置（例えば、パーソナルコンピュータ、プリンタ、携帯電話）に組み込まれたデータ処理装置が、色変換情報１３８の生成処理（図２）を実行してもよい。また、ネットワークを介して互いに通信可能な複数の装置（例えば、コンピュータ）が、色変換情報１３８の生成処理を一部ずつ分担して、全体として、色変換情報１３８の生成処理の機能を提供してもよい（これらの装置を備えるシステムがデータ処理装置に対応する）。
【０１０１】
上記各実施例において、ハードウェアによって実現されていた構成の一部をソフトウェアに置き換えるようにしてもよく、逆に、ソフトウェアによって実現されていた構成の一部あるいは全部をハードウェアに置き換えるようにしてもよい。例えば、図１の生成部２２０の機能を、論理回路を有する専用のハードウェア回路によって実現してもよい。
【０１０２】
また、本発明の機能の一部または全部がコンピュータプログラムで実現される場合には、そのプログラムは、コンピュータ読み取り可能な記録媒体（例えば、一時的ではない記録媒体）に格納された形で提供することができる。プログラムは、提供時と同一または異なる記録媒体（コンピュータ読み取り可能な記録媒体）に格納された状態で、使用され得る。「コンピュータ読み取り可能な記録媒体」は、メモリーカードやＣＤ−ＲＯＭのような携帯型の記録媒体に限らず、各種ＲＯＭ等のコンピュータ内の内部記憶装置や、ハードディスクドライブ等のコンピュータに接続されている外部記憶装置も含んでいる。
【０１０３】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【０１０４】
１００...データ処理装置、１１０...プロセッサ、１２０...揮発性記憶装置、１３０...不揮発性記憶装置、１３２...プログラム、１３４...パッチデータ、１３５ａ...基準測色値情報、１３５ｂ...目標測色値情報、１３６...修正済目標測色値情報、１３７...基準色変換情報、１３８...色変換情報、１３９...基準画像データ、１４０...表示部、１５０...操作部、２１０...修正部、２２０...生成部、２７０...測色制御部、２８０...印刷制御部、３００...プリンタ、３２０...印刷機構、４００...測色器、４２０...センサ、１０００...複合機、ＣＰ...カラーパッチ、ＣＣ...色立体、Ｌｒｇｂ...明度、Ｒ１ｐ、Ｒ１ｑ、Ｒ１ｓ...第１色範囲、Ｒ２ｐ、Ｒ２ｓ、Ｒ２ｐａ...第２色範囲、Ｒ２ｑ１...第１部分色範囲、Ｒ２ｑ２...第２部分色範囲、Ｒ２ｑ３...第３部分色範囲、Ｒ２ｐｏ...第１部分、Ｒ２ｐｉ...第２部分、Ｒ３ａ...無彩色範囲、ＧＸ...無彩色軸、ＧＸｂ...無彩色軸、Ｕ...対象使用量、ＲＳ...特定部分色範囲、Ｃｈ...彩度、Ｖｐ、Ｖｑ、Ｖｓ...最高彩度の色値、Ｌｐ、Ｌｑ、Ｌｓ...最高彩度の色点の明度、Ｕｕ...上限値、ＯＬｐ、ＯＬｑ、ＯＬｓ、ＯＬｐｘ...外殻、Ｃｈｔ、Ｃｈｘ...彩度閾値
【図１】
2015162714.tif 000003
【図２】
2015162714.tif 000004
【図３】
2015162714.tif 000005
【図４】
2015162714.tif 000006
【図５】
2015162714.tif 000007
【図６】
2015162714.tif 000008
【図７】
2015162714.tif 000009
【図８】
2015162714.tif 000010
【図９】
2015162714.tif 000011
【図１０】
2015162714.tif 000012
【図１１】
2015162714.tif 000013
【図１２】
2015162714.tif 000014